(57)【要約】【課題】任意の者等によって生成された広告情報などのコンテンツに商品に関連する信頼性の高い客観的な情報を効率的に付加し、信頼性の高い客観的な情報が付加されたコンテンツを提供する。【解決手段】コンテンツ配信サーバ１０が、コンテンツを含むコンテンツ情報を格納するコンテンツＤＢ１１と、商品の販売履歴を示す商品販売履歴情報を格納する商品販売履歴ＤＢ１３とを備え、コンテンツを指定したコンテンツ閲覧要求を受けたことに応じて、指定されたコンテンツに登場する商品に関連する商品関連情報を商品販売履歴情報を用いて生成し、生成した商品関連情報と、コンテンツ閲覧要求にて指定されたコンテンツとを含むコンテンツ閲覧画面を生成し、生成したコンテンツ閲覧画面をコンテンツ閲覧要求を行ったユーザ端末２２に対して送信する。【選択図】図６
2011053849.tif 000002
【特許請求の範囲】
【請求項１】
ユーザ端末と、該ユーザ端末からのコンテンツ閲覧要求を通信ネットワークを介して受けたことに応じて当該ユーザ端末に対してコンテンツを配信するコンテンツ配信サーバとを含むコンテンツ配信システムであって、
前記コンテンツ配信サーバは、
コンテンツを含むコンテンツ情報を格納するコンテンツ情報記憶手段と、
商品の販売履歴を示す商品販売履歴情報を格納する商品販売履歴情報記憶手段と、
コンテンツを指定したコンテンツ閲覧要求を受けたことに応じて、指定されたコンテンツに登場する商品に関連する商品関連情報を前記商品販売履歴情報を用いて生成する商品関連情報生成手段と、
該商品関連情報生成手段によって生成された商品関連情報と、コンテンツ閲覧要求にて指定されたコンテンツとを含むコンテンツ閲覧情報を生成するコンテンツ閲覧情報生成手段と、
該コンテンツ閲覧情報生成手段によって生成されたコンテンツ閲覧情報をコンテンツ閲覧要求を行ったユーザ端末に対して送信するコンテンツ閲覧情報送信手段とを含む
ことを特徴とするコンテンツ配信システム。
【請求項２】
前記コンテンツ閲覧情報生成手段は、商品関連情報の表示領域と、コンテンツの表示領域とを含むコンテンツ閲覧画面をコンテンツ閲覧情報として生成する
請求項１記載のコンテンツ配信システム。
【請求項３】
前記コンテンツ配信サーバは、
商品の紹介に用いられる商品紹介情報を含む商品情報を記憶する商品情報記憶手段と、
コンテンツを指定したコンテンツ閲覧要求を受けたことに応じて、指定されたコンテンツに登場する商品についての商品紹介情報を前記商品情報を参照して抽出する商品紹介情報抽出手段とを含み、
前記コンテンツ閲覧情報生成手段は、前記商品紹介情報抽出手段によって抽出された商品紹介情報を含むコンテンツ閲覧情報を生成する
請求項１記載のコンテンツ配信システム。
【請求項４】
前記コンテンツ配信サーバは、
商品の販売を行う小売店舗によって管理される店舗端末から当該小売店舗における商品の販売履歴を示す商品販売履歴情報を受信する商品販売履歴情報受信手段と、
該商品販売履歴情報受信手段が受信した商品販売履歴情報を前記商品販売履歴情報記憶手段に登録する商品販売履歴情報登録手段とを含む
請求項１から請求項３のうちいずれかに記載のコンテンツ配信システム。
【請求項５】
前記商品販売履歴情報記憶手段に格納された商品販売履歴情報は、販売された商品の商品名と、販売された商品が属する商品カテゴリと、販売数量とが対応付けされた情報であり、
前記商品関連情報生成手段は、前記商品販売履歴情報を解析し、コンテンツ閲覧要求にて指定されたコンテンツに登場する商品が属する商品カテゴリの各商品の販売数量ランキングを商品関連情報として生成する
請求項１から請求項４のうちいずれかに記載のコンテンツ配信システム。
【請求項６】
前記商品販売履歴情報記憶手段に格納された商品販売履歴情報は、販売された商品の商品名と、販売された商品が属する商品カテゴリと、販売金額とが対応付けされた情報であり、
前記商品関連情報生成手段は、前記商品販売履歴情報を解析し、コンテンツ閲覧要求にて指定されたコンテンツに登場する商品が属する商品カテゴリの各商品の販売金額ランキングを商品関連情報として生成する
請求項１から請求項４のうちいずれかに記載のコンテンツ配信システム。
【請求項７】
前記コンテンツ情報に含まれるコンテンツは、商品の紹介を目的とする動画あるいは静止画である
請求項１から請求項６のうちいずれかに記載のコンテンツ配信システム。
【請求項８】
ユーザ端末からのコンテンツ閲覧要求を通信ネットワークを介して受けたことに応じて当該ユーザ端末に対してコンテンツを配信するコンテンツ配信サーバであって、
コンテンツを含むコンテンツ情報を格納するコンテンツ情報記憶手段と、
商品の販売履歴を示す商品販売履歴情報を格納する商品販売履歴情報記憶手段と、
コンテンツを指定したコンテンツ閲覧要求を受けたことに応じて、指定されたコンテンツに登場する商品に関連する商品関連情報を前記商品販売履歴情報を用いて生成する商品関連情報生成手段と、
該商品関連情報生成手段によって生成された商品関連情報と、コンテンツ閲覧要求にて指定されたコンテンツとを含むコンテンツ閲覧情報を生成するコンテンツ閲覧情報生成手段と、
該コンテンツ閲覧情報生成手段によって生成されたコンテンツ閲覧情報をコンテンツ閲覧要求を行ったユーザ端末に対して送信するコンテンツ閲覧情報送信手段とを含む
ことを特徴とするコンテンツ配信サーバ。
【請求項９】
ユーザ端末からのコンテンツ閲覧要求を通信ネットワークを介して受けたことに応じて当該ユーザ端末に対してコンテンツを配信させるためのコンテンツ配信プログラムであって、
コンピュータに、
コンテンツを含むコンテンツ情報を格納するコンテンツ情報記憶手段と、
コンテンツを指定したコンテンツ閲覧要求を受けたことに応じて、商品の販売履歴を示す商品販売履歴情報を格納する商品販売履歴情報記憶手段に記憶された前記商品販売履歴情報を用いて、指定されたコンテンツに登場する商品に関連する商品関連情報を生成する商品関連情報生成処理と、
該商品関連情報生成処理にて生成した商品関連情報と、コンテンツ閲覧要求にて指定されたコンテンツとを含むコンテンツ閲覧情報を生成するコンテンツ閲覧情報生成処理と、
該コンテンツ閲覧情報生成処理にて生成したコンテンツ閲覧情報をコンテンツ閲覧要求を行ったユーザ端末に対して送信するコンテンツ閲覧情報送信処理とを
実行させるためのコンテンツ配信プログラム。
【発明の詳細な説明】
【技術分野】
【０００１】
本発明は、ユーザ端末からのコンテンツ閲覧要求を通信ネットワークを介して受けたことに応じて当該ユーザ端末に対してコンテンツを配信するコンテンツ配信サーバを備えたコンテンツ配信システム、コンテンツ配信サーバ、及びコンテンツ配信プログラムに関する。
【背景技術】
【０００２】
従来から、商品の広告のための広告情報を通信ネットワークを介して消費者等が管理するユーザ端末に配信する様々なシステムが提案されている（例えば、特許文献１参照）。
【先行技術文献】
【特許文献】
【０００３】
【特許文献１】特開２００３−２９６３５７号公報
【発明の概要】
【発明が解決しようとする課題】
【０００４】
広告情報などのコンテンツを配信する際に、広告対象の商品の評価などを付加することが考えられるが、商品の製造者や販売者でない一般消費者などによって広告情報が生成された場合には、その商品の評価を効率的に行うことができず、広告情報に商品に関連する信頼性の高い客観的な情報を付加して提供することができないという問題があった。
【０００５】
特に、一般消費者などによって広告情報が生成された場合には、広告情報が示す広告内容の信頼性が低いものとなるため、広告対象の商品について信頼できる客観的な情報が付加されていることが望ましい。
【０００６】
本発明は、上述した問題を解消し、任意の者等によって生成された広告情報などのコンテンツに商品に関連する信頼性の高い客観的な情報を効率的に付加することができ、信頼性の高い客観的な情報が付加されたコンテンツを提供することができるようにすることを目的とする。
【課題を解決するための手段】
【０００７】
本発明のコンテンツ配信システムは、ユーザ端末と、該ユーザ端末からのコンテンツ閲覧要求を通信ネットワークを介して受けたことに応じて当該ユーザ端末に対してコンテンツを配信するコンテンツ配信サーバとを含むコンテンツ配信システムであって、前記コンテンツ配信サーバは、コンテンツを含むコンテンツ情報を格納するコンテンツ情報記憶手段と、商品の販売履歴を示す商品販売履歴情報を格納する商品販売履歴情報記憶手段と、コンテンツを指定したコンテンツ閲覧要求を受けたことに応じて、指定されたコンテンツに登場する商品に関連する商品関連情報を前記商品販売履歴情報を用いて生成する商品関連情報生成手段と、該商品関連情報生成手段によって生成された商品関連情報と、コンテンツ閲覧要求にて指定されたコンテンツとを含むコンテンツ閲覧情報を生成するコンテンツ閲覧情報生成手段と、該コンテンツ閲覧情報生成手段によって生成されたコンテンツ閲覧情報をコンテンツ閲覧要求を行ったユーザ端末に対して送信するコンテンツ閲覧情報送信手段とを含むことを特徴とする。
【０００８】
上記の構成としたことで、任意の者等によって生成された広告情報などのコンテンツに商品に関連する信頼性の高い客観的な情報を効率的に付加することができ、信頼性の高い客観的な情報が付加されたコンテンツを提供することができるようになる。
【０００９】
前記コンテンツ閲覧情報生成手段は、商品関連情報の表示領域と、コンテンツの表示領域とを含むコンテンツ閲覧画面をコンテンツ閲覧情報として生成する構成とされていてもよい。
【００１０】
前記コンテンツ配信サーバは、商品の紹介に用いられる商品紹介情報を含む商品情報を記憶する商品情報記憶手段と、コンテンツを指定したコンテンツ閲覧要求を受けたことに応じて、指定されたコンテンツに登場する商品についての商品紹介情報を前記商品情報を参照して抽出する商品紹介情報抽出手段とを含み、前記コンテンツ閲覧情報生成手段は、前記商品紹介情報抽出手段によって抽出された商品紹介情報を含むコンテンツ閲覧情報を生成する構成とされていてもよい。
【００１１】
前記コンテンツ配信サーバは、商品の販売を行う小売店舗によって管理される店舗端末から当該小売店舗における商品の販売履歴を示す商品販売履歴情報を受信する商品販売履歴情報受信手段と、該商品販売履歴情報受信手段が受信した商品販売履歴情報を前記商品販売履歴情報記憶手段に登録する商品販売履歴情報登録手段とを含む構成とされていてもよい。
【００１２】
前記商品販売履歴情報記憶手段に格納された商品販売履歴情報は、販売された商品の商品名と、販売された商品が属する商品カテゴリと、販売数量とが対応付けされた情報であり、前記商品関連情報生成手段は、前記商品販売履歴情報を解析し、コンテンツ閲覧要求にて指定されたコンテンツに登場する商品が属する商品カテゴリの各商品の販売数量ランキングを商品関連情報として生成する構成とされていてもよい。
【００１３】
前記商品販売履歴情報記憶手段に格納された商品販売履歴情報は、販売された商品の商品名と、販売された商品が属する商品カテゴリと、販売金額とが対応付けされた情報であり、前記商品関連情報生成手段は、前記商品販売履歴情報を解析し、コンテンツ閲覧要求にて指定されたコンテンツに登場する商品が属する商品カテゴリの各商品の販売金額ランキングを商品関連情報として生成する構成とされていてもよい。
【００１４】
前記コンテンツ情報に含まれるコンテンツは、例えば、商品の紹介を目的とする動画あるいは静止画である。
【００１５】
また、本発明のコンテンツ配信サーバは、ユーザ端末からのコンテンツ閲覧要求を通信ネットワークを介して受けたことに応じて当該ユーザ端末に対してコンテンツを配信するコンテンツ配信サーバであって、コンテンツを含むコンテンツ情報を格納するコンテンツ情報記憶手段と、商品の販売履歴を示す商品販売履歴情報を格納する商品販売履歴情報記憶手段と、コンテンツを指定したコンテンツ閲覧要求を受けたことに応じて、指定されたコンテンツに登場する商品に関連する商品関連情報を前記商品販売履歴情報を用いて生成する商品関連情報生成手段と、該商品関連情報生成手段によって生成された商品関連情報と、コンテンツ閲覧要求にて指定されたコンテンツとを含むコンテンツ閲覧情報を生成するコンテンツ閲覧情報生成手段と、該コンテンツ閲覧情報生成手段によって生成されたコンテンツ閲覧情報をコンテンツ閲覧要求を行ったユーザ端末に対して送信するコンテンツ閲覧情報送信手段とを含むことを特徴とする。
【００１６】
さらに、本発明のコンテンツ配信プログラムは、ユーザ端末からのコンテンツ閲覧要求を通信ネットワークを介して受けたことに応じて当該ユーザ端末に対してコンテンツを配信させるためのコンテンツ配信プログラムであって、コンピュータに、コンテンツを含むコンテンツ情報を格納するコンテンツ情報記憶手段と、コンテンツを指定したコンテンツ閲覧要求を受けたことに応じて、商品の販売履歴を示す商品販売履歴情報を格納する商品販売履歴情報記憶手段に記憶された前記商品販売履歴情報を用いて、指定されたコンテンツに登場する商品に関連する商品関連情報を生成する商品関連情報生成処理と、該商品関連情報生成処理にて生成した商品関連情報と、コンテンツ閲覧要求にて指定されたコンテンツとを含むコンテンツ閲覧情報を生成するコンテンツ閲覧情報生成処理と、該コンテンツ閲覧情報生成処理にて生成したコンテンツ閲覧情報をコンテンツ閲覧要求を行ったユーザ端末に対して送信するコンテンツ閲覧情報送信処理とを実行させるためのものである。
【発明の効果】
【００１７】
本発明によれば、任意の者等によって生成された広告情報などのコンテンツに商品に関連する信頼性の高い客観的な情報を効率的に付加することができ、信頼性の高い客観的な情報が付加されたコンテンツを提供することができるようになる。
【図面の簡単な説明】
【００１８】
【図１】本発明の一実施の形態におけるコンテンツ配信システムの構成の例を示すブロック図である。
【図２】コンテンツ情報の例を示す説明図である。
【図３】商品情報の例を示す説明図である。
【図４】商品販売履歴情報の例を示す説明図である。
【図５】コンテンツ情報登録処理の例を示すフローチャートである。
【図６】コンテンツ提供処理の例を示すフローチャートである。
【図７】コンテンツ選択画面の例を示す説明図である。
【図８】コンテンツ閲覧画面の例を示す説明図である。
【発明を実施するための形態】
【００１９】
以下、本発明の一実施の形態について図面を参照して説明する。
図１は、本発明の一実施の形態に係るコンテンツ配信システム１００の構成の例を示すブロック図である。図１に示すように、コンテンツ配信システム１００は、コンテンツ配信サーバ１０と、ユーザ端末２１〜２Ｎ（Ｎ：任意の正の整数）と、店舗端末４１〜４Ｎ（Ｎ：任意の正の整数）とを含む。
【００２０】
コンテンツ配信サーバ１０、ユーザ端末２１〜２Ｎ、および店舗サーバ４１〜４Ｎは、それぞれ、例えばインターネットなどの通信ネットワーク３０に接続されている。
【００２１】
コンテンツ配信サーバ１０は、例えば本システム１００のシステム管理者によって管理されるサーバであり、ＷＷＷサーバなどの情報処理装置によって構成される。コンテンツ配信サーバ１０は、コンテンツに関する各種の情報であるコンテンツ情報が格納されるコンテンツＤＢ１１と、商品に関する各種の情報である商品情報が格納される商品ＤＢ１２と、商品の販売履歴を示す各種の情報である商品販売履歴情報が格納される商品販売履歴ＤＢ１３とを備えている。なお、コンテンツＤＢ１１、商品ＤＢ１２、および商品販売履歴ＤＢ１３は、それぞれ、コンテンツ配信サーバ１０の内部にあっても外部にあってもよい。
【００２２】
ユーザ端末２１〜２Ｎは、それぞれ、例えばコンテンツを生成して登録する本システム１００のユーザや、コンテンツを閲覧する本システム１００のユーザによって管理され、例えばパーソナルコンピュータや携帯通信端末などの情報処理装置によって構成される。
【００２３】
店舗端末４１〜４Ｎは、それぞれ、商品の販売を行う各店舗を管理する店舗管理者によって管理され、例えばパーソナルコンピュータや携帯通信端末などの情報処理装置によって構成される。店舗端末４１〜４Ｎは、それぞれ、所定の担当者の操作に応じて、各店舗にて蓄積された商品販売履歴情報をコンテンツ配信サーバ１０に送信する処理を行う。
【００２４】
図２は、コンテンツＤＢ１１に格納されているコンテンツ情報の例を示す説明図である。コンテンツ情報は、例えば図２に示すように、コンテンツを一意に特定可能なコンテンツＩＤと、該当コンテンツのタイトルと、該当コンテンツの作成者と、コンテンツと、該当コンテンツに対する第三者の評価（評価者名及び評価内容）と、コンテンツによる広告対象の商品の商品名と、コンテンツによる広告対象の商品が属するカテゴリを示す商品カテゴリとを含む情報である。
【００２５】
図３は、商品ＤＢ１２に格納されている商品情報の例を示す説明図である。商品情報は、例えば図３に示すように、商品を一意に特定可能な商品ＩＤと、該当商品の商品名と、該当商品が属するカテゴリを示す商品カテゴリと、該当商品を紹介する際に用いられる商品紹介情報とを含む情報である。
【００２６】
「商品紹介情報」は、例えば、該当商品の原材料名、内容量、保存方法、製造者、製造者住所、販売者、販売者住所、エネルギーのカロリー表示を含む栄養成分表示、販売開始時期、該当商品を使用した料理のレシピなど、該当商品の詳細を示す情報である。
【００２７】
図４は、商品販売履歴ＤＢ１３に格納されている商品販売履歴情報の例を示す説明図である。商品販売履歴情報は、例えば図４に示すように、商品を一意に特定可能な商品ＩＤと、該当商品の商品名と、該当商品が属するカテゴリを示す商品カテゴリと、該当商品を販売した販売店舗と、販売日（販売日時であってもよい）と、販売店舗が位置するエリアを示す販売エリアと、販売数量と、販売金額とを含む情報である。
【００２８】
次に、本例のコンテンツ配信システム１００の動作について説明する。
図５は、本例のコンテンツ配信システム１００におけるコンテンツ配信サーバ１０が実行するコンテンツ情報登録処理の例を示すフローチャートである。ここでは、ユーザＸが管理するユーザ端末２１からのコンテンツを受信してコンテンツ情報を登録し、ユーザＹが管理するユーザ端末２２からの評価を受け付けて登録する場合を例に説明する。なお、本発明に特に関わる処理以外は、説明を省略している場合があるものとする。
【００２９】
コンテンツ情報登録処理において、コンテンツ配信サーバ１０は、先ず、コンテンツを受信したか否かを確認する（ステップＳ１０１）。本例では、ユーザ端末２１は、ユーザＸの操作に応じて、コンテンツ配信サーバ１０が提供するコンテンツ登録サイトにアクセス（コンテンツ登録サイトのＵＲＬ（Uniform Resource Locator）にアクセス）し、そのコンテンツ登録サイトの画面上でユーザＸによって指定されたコンテンツＣ（例えば、ユーザＸによって作成されたコンテンツ）と、そのコンテンツ登録サイトの画面上でユーザＸによって入力されたコンテンツの登録に必要なコンテンツ登録必要情報とをコンテンツ配信サーバ１０に送信する。ステップＳ１０１では、コンテンツ配信サーバ１０は、コンテンツ登録必要情報が付加されたコンテンツを受信したか否かを確認する。
【００３０】
「コンテンツ登録必要情報」は、例えば、コンテンツのタイトルと、コンテンツ作成者とを含む情報である。なお、「コンテンツ登録必要情報」には、コンテンツにおける広告対象の商品の商品名などの他の情報が含まれていてもよい。ここでは、ユーザ端末２１によって、タイトルが「○×ラーメンのうまい食べ方」とされ、ユーザＸを示すコンテンツ作成者が「作成者Ａ」とされたコンテンツ登録必要情報が付加されたコンテンツＣが送信されたものとする。
【００３１】
コンテンツ登録必要情報が付加されたコンテンツＣを受信すると（ステップＳ１０１のＹ）、コンテンツ配信サーバ１０は、受信した情報を解析してコンテンツＣにて広告対象とされている商品の商品名を特定し、その商品名が示す商品の商品カテゴリを特定する（ステップＳ１０２）。具体的には、例えば、受信したコンテンツ登録必要情報に含まれているタイトル内に明示されている商品名を広告対象とされている商品の商品名として特定する。そして、図示しない商品カテゴリ特定ＤＢに格納されている商品カテゴリ特定情報（各商品の商品名とその商品カテゴリとが対応付けされた情報）を参照し、特定した商品名に対応付けされている商品カテゴリを特定するようにすればよい。なお、コンテンツ登録必要情報に商品名の項目が含まれている場合には、その項目に指定されている商品名を広告対象とされている商品の商品名として特定するようにすればよい。
【００３２】
次いで、コンテンツ配信サーバ１０は、ユーザ端末２１から受信したコンテンツＣ及びコンテンツ登録必要情報と、特定した商品名及び商品カテゴリとを含むコンテンツ情報を生成し、生成したコンテンツ情報をコンテンツＤＢ１１に登録する（ステップＳ１０３）。このステップＳ１０３では、コンテンツＩＤを決定し、決定したコンテンツＩＤに、コンテンツ登録必要情報（ここではタイトルとコンテンツ作成者）、コンテンツＣ、商品名、及び商品カテゴリを対応付けさせたコンテンツ情報（図２のコンテンツＩＤ「Ｓ００００１」のコンテンツ情報参照）を生成し、コンテンツＤＢ１１に登録する。
【００３３】
次に、コンテンツ配信サーバ１０は、登録されているコンテンツ情報が示すコンテンツの評価を受け付けたか否か確認する（ステップＳ１０４）。本例では、ユーザ端末２２は、ユーザＹの操作に応じて、コンテンツ配信サーバ１０が提供するコンテンツ閲覧サイトにアクセスし、そのコンテンツ閲覧サイトの画面上で画像や動画などのコンテンツがユーザＹによって閲覧されたあと入力されたコンテンツに対する評価を示す評価情報をコンテンツ配信サーバ１０に送信する。ステップＳ１０４では、コンテンツ配信サーバ１０は、評価対象のコンテンツが指定されたそのコンテンツの評価を示す評価情報を受信したか否かを確認する。評価情報は、評価対象のコンテンツを特定可能なコンテンツＩＤと、そのコンテンツに対するテキストデータとしての評価とを含む。
【００３４】
評価を受け付けると（ステップＳ１０４のＹ）、コンテンツ配信サーバ１０は、受け付けた評価の評価対象とされているコンテンツを含むコンテンツ情報を特定し、特定したコンテンツ情報における評価の項目に受け付けた評価を登録する（ステップＳ１０５）。ステップＳ１０５では、ステップＳ１０４にて受信した評価情報に含まれているコンテンツＩＤによってコンテンツ情報を特定し、特定したコンテンツ情報における評価項目にステップＳ１０４にて受信した評価情報に含まれている評価を登録する。
【００３５】
上記のようにして、コンテンツ作成者によって作成されたコンテンツを含むコンテンツ情報を生成して登録する処理や、コンテンツの閲覧者によるコンテンツの評価を登録する処理が実行される。
【００３６】
ここで、コンテンツ配信サーバ１０が実行する商品販売履歴情報蓄積処理について説明する。商品販売履歴情報蓄積処理において、コンテンツ配信サーバ１０は、各店舗端末４１〜４Ｎからの商品販売履歴情報を受信したか否かを例えば常時監視し、商品販売履歴情報を受信した場合には、受信した商品販売履歴情報を商品販売履歴ＤＢ１３に登録する。
【００３７】
本例では、各店舗端末４１〜４Ｎは、それぞれ、所定の担当者の操作に応じて、該当店舗における商品の販売履歴を示す商品販売履歴情報のうち、未送信の商品販売履歴情報をコンテンツ配信サーバ１０に送信する。商品販売履歴情報の送信タイミングは、日毎（例えば閉店後）、商品が販売される毎など、どのようなタイミングであってもよい。
【００３８】
上記のようにして、各店舗によって作成された商品販売履歴情報を収集し、商品販売履歴ＤＢ１３に登録する処理が実行される。
【００３９】
次に、本例のコンテンツ配信システム１００におけるコンテンツ提供処理について説明する。図６は、コンテンツ配信サーバ１０が実行するコンテンツ提供処理の例を示すフローチャートである。ここでは、コンテンツ配信サーバ１０が、ユーザＹが管理するユーザ端末２２からの要求に応じてコンテンツを提供する場合を例に説明する。なお、本発明に特に関わる処理以外は、説明を省略している場合があるものとする。
【００４０】
コンテンツ提供処理において、先ず、コンテンツ配信サーバ１０は、ユーザ端末２２からのコンテンツ選択希望要求を受け付けると（ステップＳ２０１のＹ）、コンテンツＤＢ１１を参照してコンテンツ情報が登録されているコンテンツのタイトル一覧を表示する表示領域が設けられたコンテンツ選択画面を生成し、生成したコンテンツ選択画面をユーザ端末２２に対して送信する（ステップＳ２０２）。
【００４１】
本例では、ユーザ端末３１は、ユーザＹの操作に応じてコンテンツ配信サーバ１０が開設しているコンテンツ閲覧サイトにアクセスすることによって、コンテンツ選択希望要求を行う。具体的には、コンテンツ配信サーバ１０の管理者が提供しているコンテンツ閲覧サイトのＵＲＬによりアクセスされる。
【００４２】
ユーザ端末２２は、コンテンツ配信サーバ１０からのコンテンツ選択画面を、自己が備える表示装置に表示する。コンテンツ選択画面は、閲覧可能コンテンツのタイトルが選択可能に表示される画面であって、例えば図７に示すように、閲覧可能なコンテンツのタイトルが表示されるタイトル表示領域１０１と、コンテンツの作成者が表示される作成者表示領域１０２と、コンテンツを閲覧する場合に押下される閲覧ボタン１０３とが対応付けされて設けられている。
【００４３】
コンテンツ選択画面が表示されると、ユーザＹは、コンテンツのタイトルや作成者を確認し、閲覧を希望するコンテンツに対応する閲覧ボタン１０３を押下する。ユーザ端末２２は、閲覧ボタン１０３の押下を受け付けると、閲覧を希望するコンテンツを特定（例えば、閲覧ボタンにコンテンツＩＤが対応付けされており、そのコンテンツＩＤによって特定する）したコンテンツ閲覧要求をコンテンツ配信サーバ１０に送信する。
【００４４】
コンテンツ配信サーバ１０は、ユーザ端末２２からコンテンツ閲覧要求を受け付けると（ステップＳ２０４のＹ）、商品ＤＢ１２に格納されている商品情報を参照し、閲覧要求を受けたコンテンツにて広告対象となっている商品の商品紹介情報を抽出する（ステップＳ２０５）。
【００４５】
ステップＳ２０５では、コンテンツ情報を参照することによってコンテンツ閲覧要求に含まれるコンテンツＩＤに対応付けされている商品の商品名を特定し、特定した商品名の商品についての商品情報に含まれる商品紹介情報を商品情報を参照して抽出する処理が行われる。
【００４６】
次に、コンテンツ配信サーバ１０は、商品販売履歴ＤＢ１３に蓄積されている商品販売履歴情報を解析して、コンテンツ閲覧要求に含まれるコンテンツＩＤに対応付けされている商品についての商品関連情報を生成する（ステップＳ２０６）。
【００４７】
ステップＳ２０６では、コンテンツ配信サーバ１０は、本例では、コンテンツ情報を参照することによって閲覧要求されているコンテンツにて広告対象とされている商品（コンテンツ閲覧要求に含まれるコンテンツＩＤに対応付けされている商品）の商品カテゴリを特定し、特定した商品カテゴリの商品の商品販売履歴情報を商品販売履歴ＤＢ１３を参照して抽出し、抽出した商品販売履歴情報を解析して各商品カテゴリに属する各商品の販売金額を算出し、販売金額が多い商品から順番に並べた売上ランキングを商品関連情報として生成する。
【００４８】
本例では、販売日が所定期間内（例えば、過去３ヶ月間、過去２ヶ月間、前月末から過去２ヶ月間など）となっている商品販売履歴情報を用いて、その所定期間内での売上ランキングを生成する。なお、全期間を対象として商品関連情報を生成するようにしてもよい。
【００４９】
また、本例では、コンテンツ配信サーバ１０は、各ユーザ端末２１〜２Ｎを管理する各ユーザの行動エリア（例えば、自宅が存在するエリア、勤務先が存在するエリアなど）を予めユーザ情報として自己が備える図示しないユーザＤＢに格納しておき、販売エリアがコンテンツ閲覧要求を行ったユーザの行動エリアとなっている商品販売履歴情報を用いて、その販売エリア内での売上ランキングを生成する。この場合、コンテンツ閲覧要求に該当ユーザあるいはユーザ端末を特定可能な情報が含まれるものとし、この該当ユーザあるいはユーザ端末を特定可能な情報を用いてユーザ情報を参照して行動エリアを特定するようにすればよい。なお、全エリアを対象として商品関連情報を生成するようにしてもよい。
【００５０】
なお、本例において、コンテンツ配信サーバ１０が、コンテンツ閲覧要求を送信してきたユーザ端末２１〜２Ｎからそのユーザ端末２１〜２Ｎの現在位置情報を取得することとし、販売エリアがコンテンツ閲覧要求を送信してきたユーザ端末の現在位置が存在するエリアとなっている商品販売履歴情報を用いて、その販売エリア内での売上ランキングを生成するようにしてもよい。この場合、各ユーザ端末２１〜２Ｎは、例えばＧＰＳ（Global Positioning System）等による自己の現在位置を測位する機能を有することとし、現在位置情報を含むコンテンツ閲覧要求を送信するようにすればよい。
【００５１】
次に、コンテンツ配信サーバ１０は、ステップＳ２０５にて抽出した商品紹介情報の表示領域と、ステップＳ２０６にて生成した商品関連情報の表示領域と、該当商品の評価を表示する表示領域とを含むコンテンツ閲覧画面を生成し（ステップＳ２０７）、生成したコンテンツ閲覧画面をユーザ端末２２に対して送信する（ステップＳ２０８）。
【００５２】
ユーザ端末２２は、コンテンツ配信サーバ１０からのコンテンツ閲覧画面を、自己が備える表示装置に表示する。コンテンツ閲覧画面にて、例えば図８に示すように、コンテンツを表示するコンテンツ表示領域２０１と、商品紹介情報を表示する商品紹介情報表示領域２０２と、商品関連情報を表示する商品関連情報表示領域２０３と、該当商品の評価を表示する評価表示領域２０４とが設けられている。
【００５３】
本例では、コンテンツ表示領域２０１にて、コンテンツ閲覧要求があった動画や静止画などのコンテンツが表示される。また、商品紹介情報表示領域２０２には、該当商品の商品名、原材料名、内容量、製造者、レシピなどの商品紹介情報が表示される。商品関連情報表示領域２０３には、該当商品が属する商品カテゴリにおける各商品の売上ランキングといった商品関連情報が表示される。そして、評価表示領域２０４には、各ユーザからの該当商品の評価内容と、その評価を行ったユーザである評価者とが表示される。
【００５４】
コンテンツ閲覧画面が表示されることによって、ユーザＹは、希望したコンテンツを閲覧しながら、そのコンテンツにて広告対象とされている商品の商品紹介情報を閲覧したり、そのコンテンツにて広告対象とされている商品が属する商品カテゴリに属している各商品についての自己の行動エリア内における所定期間中の売上ランキングといった商品関連情報を閲覧したり、そのコンテンツにて広告対象とされている商品についての第三者による評価を閲覧したりすることが可能となる。商品紹介情報を閲覧することによって、第三者による評価などの信頼性の低い情報だけでなく、該当商品の売れ行きや人気度などの客観的かつ信頼性の高い情報を得ることができるようになる。
【００５５】
なお、上記の例では、商品関連情報として該当商品が属する商品カテゴリの各商品についての売上金額についての売上ランキングを生成する構成としていたが、各店舗端末４１〜４Ｎから収集した商品販売履歴情報を用いて作成可能な該当商品に関連する情報であればどのような情報であってもよく、例えば、各商品についての売上数量のランキング、該当商品についての各販売エリアでの売上ランキング、該当商品についての各週での売上ランキング、該当商品についての各販売エリアでの売上、該当商品についての各週の売上、該当商品についての各販売店毎の売上などを商品関連情報として生成するようにしてもよい。
【００５６】
また、上記の例では、動画や静止画等によって商品の紹介（広告）を行うためのコンテンツを例に説明していたが、商品が登場するものであれば紹介（広告）を目的としないコンテンツであってもよい。
【００５７】
以上に説明したように、上述した一実施の形態では、ユーザ端末２２からのコンテンツ閲覧要求を通信ネットワーク３０を介して受けたことに応じてそのユーザ端末２２に対してコンテンツを配信するコンテンツ配信サーバ１０が、コンテンツを含むコンテンツ情報を格納するコンテンツＤＢ１１と、商品の販売履歴を示す商品販売履歴情報を格納する商品販売履歴ＤＢ１３とを備え、コンテンツを指定したコンテンツ閲覧要求を受けたことに応じて、指定されたコンテンツに登場する商品に関連する商品関連情報を商品販売履歴情報を用いて生成し、生成した商品関連情報と、コンテンツ閲覧要求にて指定されたコンテンツとを含むコンテンツ閲覧情報（例えばコンテンツ閲覧画面）を生成し、生成したコンテンツ閲覧情報をコンテンツ閲覧要求を行ったユーザ端末２２に対して送信する構成としているので、任意の者等によって生成された広告情報などのコンテンツに商品に関連する信頼性の高い客観的な情報を効率的に付加することができ、信頼性の高い客観的な情報が付加されたコンテンツを提供することができるようになる。
【００５８】
すなわち、コンテンツと、そのコンテンツに登場する商品に関連する商品販売履歴情報を用いて生成した商品関連情報とを含むコンテンツ閲覧情報を提供する構成としているので、実際の販売履歴に基づいて生成された信頼性の高い客観的な情報である商品関連情報とともにコンテンツを提供することができるようになり、コンテンツを閲覧する者にとっては、コンテンツに登場する商品についての販売履歴に基づく確かな情報を得ることができるようになる。
【００５９】
また、上述した実施の形態では、コンテンツ配信サーバ１０が、商品関連情報の表示領域と、コンテンツの表示領域とを含むコンテンツ閲覧画面をコンテンツ閲覧情報として生成する構成としているので、コンテンツと商品関連情報とを同時に閲覧可能な画面を提供することが可能となる。
【００６０】
また、上述した実施の形態では、コンテンツ配信サーバ１０が、商品の紹介に用いられる商品紹介情報を含む商品情報を記憶する商品ＤＢ１２を備え、コンテンツを指定したコンテンツ閲覧要求を受けたことに応じて、指定されたコンテンツに登場する商品についての商品紹介情報を商品情報を参照して抽出し、抽出した商品紹介情報を含むコンテンツ閲覧情報を生成する構成としているので、商品紹介情報とともにコンテンツを提供することができるようになり、コンテンツを閲覧する者にとっては、コンテンツに登場する商品の詳細についての情報を得ることができるようになる。
【００６１】
また、上述した実施の形態では、コンテンツ配信サーバ１０が、商品の販売を行う小売店舗によって管理される店舗端末４１〜４Ｎからその小売店舗における商品の販売履歴を示す商品販売履歴情報を受信し、受信した商品販売履歴情報を商品販売履歴ＤＢ１３に登録する構成としているので、各店舗での商品の販売履歴を示す商品販売履歴情報を容易に収集して蓄積していくことができ、各店舗から収集した商品販売履歴情報を用いて商品関連情報を生成することができるようになる。
【００６２】
また、上述した実施の形態において、商品販売履歴ＤＢ１３に格納された商品販売履歴情報は、販売された商品の商品名と、販売された商品が属する商品カテゴリと、販売数量とが対応付けされた情報であり、コンテンツ配信サーバ１０が、商品販売履歴情報を解析し、コンテンツ閲覧要求にて指定されたコンテンツに登場する商品が属する商品カテゴリの各商品の販売数量ランキングを商品関連情報として生成する構成とした場合には、任意の者等によって生成された広告情報などのコンテンツに登場する商品が属する商品カテゴリの各商品の販売数量ランキングをそのコンテンツに付加することができ、信頼性の高い客観的な情報として販売数量ランキングが付加されたコンテンツを提供することができるようになる。
【００６３】
また、上述した実施の形態において、商品販売履歴ＤＢ１３に格納された商品販売履歴情報は、販売された商品の商品名と、販売された商品が属する商品カテゴリと、販売金額とが対応付けされた情報であり、コンテンツ配信サーバ１０が、商品販売履歴情報を解析し、コンテンツ閲覧要求にて指定されたコンテンツに登場する商品が属する商品カテゴリの各商品の販売金額ランキングを商品関連情報として生成する構成とした場合には、任意の者等によって生成された広告情報などのコンテンツに登場する商品が属する商品カテゴリの各商品の販売金額ランキングをそのコンテンツに付加することができ、信頼性の高い客観的な情報として販売金額ランキングが付加されたコンテンツを提供することができるようになる。
【００６４】
なお、上述した実施の形態では特に言及していないが、コンテンツ配信システム１００を構成するコンテンツ配信サーバ１０は、自己が備える記憶媒体に格納されている処理プログラム（コンテンツ配信プログラム）に従って、上述した各種の処理（図５、図６参照）を実行する。
【産業上の利用可能性】
【００６５】
本発明によれば、任意の者等によって生成された広告情報などのコンテンツに商品に関連する信頼性の高い客観的な情報を効率的に付加し、信頼性の高い客観的な情報が付加されたコンテンツを提供するのに有用である。
【符号の説明】
【００６６】
１０          コンテンツ配信サーバ
１１          コンテンツＤＢ
１２          商品ＤＢ
１３          商品販売履歴ＤＢ
２１〜２Ｎ    ユーザ端末
３０          通信ネットワーク
４１〜４Ｎ    店舗端末
１２          コンテンツ配信ＤＢ
２１〜２Ｎ    店舗サーバ
１００        コンテンツ配信システム
【図１】
2011053849.tif 000003
【図２】
2011053849.tif 000004
【図３】
2011053849.tif 000005
【図４】
2011053849.tif 000006
【図５】
2011053849.tif 000007
【図６】
2011053849.tif 000008
【図７】
2011053849.tif 000009
【図８】
2011053849.tif 000010